(57)【要約】【課題】基準クロック回路の簡略化。【解決手段】基準クロックＣＫに基づき動作するデジタル回路２０と、デジタル回路２０が放射するデジタル放射ノイズＲＮを受信し、デジタル放射ノイズＲＮに含まれる基準クロックＣＫの成分から同期クロックＳＣを抽出する１つ以上のクロック抽出部１００，３００と、同期クロックＳＣまたは基準クロックＣＫに基づき動作する無線送信部２００と、同期クロックＳＣまたは基準クロックＣＫに基づき動作する無線受信部４００と、を含む無線通信装置１。【選択図】図１
2009118218.tif 000002
【特許請求の範囲】
【請求項１】
基準クロックに基づき動作するデジタル回路と、
前記デジタル回路が放射するデジタル放射ノイズを受信し、前記デジタル放射ノイズに含まれる前記基準クロックの成分から同期クロックを抽出する１つ以上のクロック抽出部と、
前記同期クロックまたは前記基準クロックに基づき動作する無線送信部と、
前記同期クロックまたは前記基準クロックに基づき動作する無線受信部と、
を含み、
前記無線送信部と前記無線受信部の少なくとも一方は、前記同期クロックに基づき動作する、
ことを特徴とする無線通信装置。
【請求項２】
基準クロックに基づき動作するデジタル回路と、
前記デジタル回路が放射するデジタル放射ノイズを受信し、前記デジタル放射ノイズに含まれる前記基準クロックの成分から同期クロックを抽出する１つ以上のクロック抽出部と、
前記同期クロックまたは前記基準クロックに基づき動作する無線送信部と、
前記同期クロックまたは前記基準クロックに基づき動作する無線受信部と、
を同一の筐体内に含み、
前記無線送信部と前記無線受信部の少なくとも一方は、前記同期クロックに基づき動作する、
ことを特徴とする無線通信装置。
【請求項３】
請求項１または２に記載の無線通信装置において、前記無線送信部及び前記無線受信部は、パルスを使ったパルス無線方式の通信を行う、ことを特徴とする無線通信装置。
【請求項４】
請求項１または２に記載の無線通信装置において、前記クロック抽出部は、前記デジタル放射ノイズを受信するアンテナを有する、ことを特徴とする無線通信装置。
【請求項５】
請求項１または２に記載の無線通信装置において、前記クロック抽出部は、電源線に重畳された放射ノイズから前記同期クロックを抽出する、ことを特徴とする無線通信装置。
【請求項６】
請求項１または２に記載の無線通信装置において、前記クロック抽出部は、前記基準クロックのｎ次（ｎは２以上の整数）高調波を抽出するバンドパスフィルタを含む、ことを特徴とする無線通信装置。
【請求項７】
請求項１または２に記載の無線通信装置において、前記クロック抽出部は、可変バンドパスフィルタと、前記デジタル放射ノイズの周波数成分を求める高速フーリエ変換部と、を含み、前記デジタル放射ノイズの周波数成分に基づき前記可変バンドパスフィルタの中心周波数を設定する、ことを特徴とする無線通信装置。
【請求項８】
請求項１または２に記載の無線通信装置において、前記クロック抽出部は、可変バンドパスフィルタと、前記可変バンドパスフィルタの中心周波数を制御するための制御部と、を含み、前記制御部は、前記可変バンドパスフィルタの中心周波数を順次変えていき、前記同期クロックが抽出された時点で前記中心周波数を決定する、ことを特徴とする無線通信装置。
【請求項９】
請求項１または２に記載の無線通信装置において、前記無線送信部は、前記クロック抽出部が前記デジタル放射ノイズから前記同期クロックを抽出した時点を含む所定の期間は送信を行わない、ことを特徴とする無線通信装置。
【請求項１０】
請求項１または２に記載の無線通信装置において、前記無線送信部及び前記無線受信部は、パルスを使ったパルス無線方式であり、前記同期クロックが所定の間隔で連続して発生する期間に前記パルスを発生するタイミング信号の調整を行い、前記期間以外に前記タイミング信号に基づき前記パルスを発生する、ことを特徴とする無線通信装置。
【請求項１１】
請求項１または２に記載の無線通信装置において、前記無線送信部は、前記同期クロックが所定の間隔で連続して発生する期間と、それ以外の期間のパターンから生成したデジタルデータ列を暗号鍵として入力データを暗号化した暗号化データを送信し、前記無線受信部は、前記暗号化データを前記暗号鍵で復号化する、ことを特徴とする無線通信装置。
【請求項１２】
請求項１から１１のいずれか一項に記載の無線通信装置と、画像表示パネルと、を含み、前記画像表示パネルが放射する前記デジタル放射ノイズを受信して前記同期クロックを抽出する、ことを特徴とする電子機器。
【請求項１３】
請求項１から１１のいずれか一項に記載の無線通信装置と、前記無線受信部を含む印字ヘッド部と、前記無線送信部を含む印字コントローラ部と、を含み、前記印字ヘッド部の駆動信号から放射する前記デジタル放射ノイズを受信して前記同期クロックを抽出する、ことを特徴とする印刷装置。
【発明の詳細な説明】
【技術分野】
【０００１】
本発明は、無線通信装置、電子機器、印刷装置に関する。
【背景技術】
【０００２】
超広帯域（ＵＷＢ：Ultra-Wide Band）の通信は、非常に広い周波数帯域を利用してデータ通信を行う通信方式である。ＵＷＢの広帯域の信号を利用する通信方式には、従来のスペクトル拡散による方法や直交周波数分割多重（ＯＦＤＭ：Orthogonal Frequency Division Multiplexing）などがあるが、その他に非常に短時間のパルスを利用したインパルスラジオ（ＩＲ：Impulse Radio）方式がある。特にＵＷＢ通信におけるＩＲ方式は、ＵＷＢ−ＩＲと呼ばれている。ＵＷＢ−ＩＲ方式では、従来の変調によらない時間軸操作のみで変復調が可能であり回路の簡略化や低消費電力化が期待できるとされている。
【０００３】
従来の無線通信においては、送信機及び受信機において個別の基準クロックを持つ必要があり、基準クロックを発生するための発振器やそのデジタル回路が必要となる。特に、ＵＷＢ−ＩＲ方式では送受信間のクロック同期が、低消費電力化の大きな鍵となる。
【０００４】
例えば特許文献１には、同期検波方式の無線機の同期方法が記載されている。
【０００５】
【特許文献１】特開２００３−３１９００３号公報
【発明の開示】
【発明が解決しようとする課題】
【０００６】
しかしながら、従来の方法では、受信側で送信側の搬送波を再生する必要があり、回路規模や消費電力が増大するという課題がある。
【課題を解決するための手段】
【０００７】
本発明は、上述の課題の少なくとも一部を解決するためになされたものであり、以下の形態または適用例として実現することが可能である。
【０００８】
［適用例１］
基準クロックに基づき動作するデジタル回路と、前記デジタル回路が放射するデジタル放射ノイズを受信し、前記デジタル放射ノイズに含まれる前記基準クロックの成分から同期クロックを抽出する１つ以上のクロック抽出部と、前記同期クロックまたは前記基準クロックに基づき動作する無線送信部と、前記同期クロックまたは前記基準クロックに基づき動作する無線受信部と、を含み、前記無線送信部と前記無線受信部の少なくとも一方は、前記同期クロックに基づき動作する、ことを特徴とする無線通信装置。
【０００９】
この構成によれば、基準クロックを発生する回路を無線送信部と無線受信部の両方に搭載する必要がなく、回路規模の縮小及び消費電力を低減できる。
【００１０】
［適用例２］
基準クロックに基づき動作するデジタル回路と、前記デジタル回路が放射するデジタル放射ノイズを受信し、前記デジタル放射ノイズに含まれる前記基準クロックの成分から同期クロックを抽出する１つ以上のクロック抽出部と、前記同期クロックまたは前記基準クロックに基づき動作する無線送信部と、前記同期クロックまたは前記基準クロックに基づき動作する無線受信部と、を同一の筐体内に含み、前記無線送信部と前記無線受信部の少なくとも一方は、前記同期クロックに基づき動作する、ことを特徴とする無線通信装置。
【００１１】
この構成によれば、基準クロックを発生する回路を無線送信部と無線受信部の両方に搭載する必要がなく、回路規模の縮小及び消費電力を低減できる。
【００１２】
［適用例３］
上記に記載の無線通信装置において、前記無線送信部及び前記無線受信部は、パルスを使ったパルス無線方式の通信を行う、ことを特徴とする無線通信装置。
【００１３】
この構成によれば、パルス無線方式を用いることによりデジタル放射ノイズのレベルが大きい場合でも安定した通信を行うことができる。
【００１４】
［適用例４］
上記に記載の無線通信装置において、前記クロック抽出部は、前記デジタル放射ノイズを受信するアンテナを有する、ことを特徴とする無線通信装置。
【００１５】
この構成によれば、デジタル放射ノイズの受信感度が高まり、機器外部へのデジタル放射ノイズを抑えつつ必要なクロックを得ることができる。
【００１６】
［適用例５］
上記に記載の無線通信装置において、前記クロック抽出部は、電源線に重畳された放射ノイズから前記同期クロックを抽出する、ことを特徴とする無線通信装置。
【００１７】
この構成によれば、アンテナが不要となるので回路規模を縮小できる。
【００１８】
［適用例６］
上記に記載の無線通信装置において、前記クロック抽出部は、前記基準クロックのｎ次（ｎは２以上の整数）高調波を抽出するバンドパスフィルタを含む、ことを特徴とする無線通信装置。
【００１９】
この構成によれば、無線通信装置の逓倍回路の回路規模を縮小できる。
【００２０】
［適用例７］
上記に記載の無線通信装置において、前記クロック抽出部は、可変バンドパスフィルタと、前記デジタル放射ノイズの周波数成分を求める高速フーリエ変換部と、を含み、前記デジタル放射ノイズの周波数成分に基づき前記可変バンドパスフィルタの中心周波数を設定する、ことを特徴とする無線通信装置。
【００２１】
この構成によれば、デジタル放射ノイズを放射するデジタル回路に応じてクロック抽出部を予め調整する手間を省くことができる。
【００２２】
［適用例８］
上記に記載の無線通信装置において、前記クロック抽出部は、可変バンドパスフィルタと、前記可変バンドパスフィルタの中心周波数を制御するための制御部と、を含み、前記制御部は、前記可変バンドパスフィルタの中心周波数を順次変えていき、前記同期クロックが抽出された時点で前記中心周波数を決定する、ことを特徴とする無線通信装置。
【００２３】
この構成によれば、デジタル放射ノイズを放射するデジタル回路に応じてクロック抽出部を予め調整する手間を省くことができる。
【００２４】
［適用例９］
上記に記載の無線通信装置において、前記無線送信部は、前記クロック抽出部が前記デジタル放射ノイズから前記同期クロックを抽出した時点を含む所定の期間は送信を行わない、ことを特徴とする無線通信装置。
【００２５】
この構成によれば、デジタル放射ノイズの影響を受けずに無線通信を行うことができる。
【００２６】
［適用例１０］
上記に記載の無線通信装置において、前記無線送信部及び前記無線受信部は、パルスを使ったパルス無線方式であり、前記同期クロックが所定の間隔で連続して発生する期間に前記パルスを発生するタイミング信号の調整を行い、前記期間以外に前記タイミング信号に基づき前記パルスを発生する、ことを特徴とする無線通信装置。
【００２７】
この構成によれば、デジタル放射ノイズの影響を受けずに、かつ同期クロックとタイミング信号を同期させて無線通信を行うことができる。
【００２８】
［適用例１１］
上記に記載の無線通信装置において、前記無線送信部は、前記同期クロックが所定の間隔で連続して発生する期間と、それ以外の期間のパターンから生成したデジタルデータ列を暗号鍵として入力データを暗号化した暗号化データを送信し、前記無線受信部は、前記暗号化データを前記暗号鍵で復号化する、ことを特徴とする無線通信装置。
【００２９】
この構成によれば、簡易な回路構成で暗号化をすることができ、無線通信の安全性を高めることができる。
【００３０】
［適用例１２］
上記に記載の無線通信装置と、画像表示パネルと、を含み、前記画像表示パネルが放射する前記デジタル放射ノイズを受信して前記同期クロックを抽出する、ことを特徴とする電子機器。
【００３１】
この構成によれば、基準クロックを発生する回路を無線送信部と無線受信部の両方に搭載する必要がなく、回路規模の縮小及び消費電力を低減できる。
【００３２】
［適用例１３］
上記に記載の無線通信装置と、前記無線受信部を含む印字ヘッド部と、前記無線送信部を含む印字コントローラ部と、を含み、前記印字ヘッド部の駆動信号から放射する前記デジタル放射ノイズを受信して前記同期クロックを抽出する、ことを特徴とする印刷装置。
【００３３】
この構成によれば、基準クロックを発生する回路を無線送信部と無線受信部の両方に搭載する必要がなく、回路規模の縮小及び消費電力を低減できる。
【発明を実施するための最良の形態】
【００３４】
以下、無線通信装置の実施形態について図面に従って説明する。
【００３５】
（第１実施形態）
＜無線通信装置の構成＞
まず、第１実施形態に係る無線通信装置の構成について、図１を参照して説明する。図１は、第１実施形態に係る無線通信装置の構成を示す回路図である。図１（Ａ）は、クロック抽出部を無線送信部と無線受信部の両方に設けた場合の無線通信装置の構成を示す回路図であり、図１（Ｂ）は、クロック抽出部を無線送信部のみに設け、無線受信部はデジタル回路から有線で接続された場合の無線通信装置の構成を示す回路図である。
【００３６】
図１（Ａ）に示すように、無線通信装置１は、同一筐体内に、基準クロックＣＫを発振する発振器１０と、基準クロックＣＫに基づき動作するデジタル回路２０と、デジタル回路２０が放射するデジタル放射ノイズＲＮを受信するアンテナ１０１，３０１と、受信したデジタル放射ノイズＲＮに含まれる基準クロックＣＫの成分から同期クロックＳＣを抽出するクロック抽出部１００，３００と、同期クロックＳＣに基づき動作する無線送信部２００及び無線受信部４００と、無線送信部２００から無線信号ＷＳを送信するための送信アンテナ２０１と、無線信号ＷＳを受信し無線受信部４００に取り込むための受信アンテナ４０１と、から構成されている。
【００３７】
クロック抽出部１００，３００と、アンテナ１０１，３０１とは、必ずしも無線送信部２００と無線受信部４００の両方にある必要はなく、例えば、図１（Ｂ）に示すように、無線送信部２００にはクロック抽出部１００が接続され、無線受信部４００にはデジタル回路２０のデジタル放射ノイズＲＮを放射している配線ＲＮＬが直接接続されるようにしてもよい。またその逆に、無線送信部２００にのみデジタル放射ノイズＲＮを放射している配線ＲＮＬが直接接続されるようにしてもよい。
【００３８】
次に、クロック抽出部の構成について図２を参照して説明する。図２は、クロック抽出部の構成を示す回路図である。
【００３９】
図２に示すように、クロック抽出部１００は、アンテナ１０１が受信したデジタル放射ノイズＲＮから有用な同期クロックＳＣとして用いることができる信号を分離するためのバンドパスフィルタ（ＢＰＦ：Band-pass filter）１０２と、ＢＰＦ１０２の出力信号を増幅し同期クロックＳＣを生成する増幅器（ＡＭＰ：amplifierの略）１０４と、から構成されている。クロック抽出部３００も同様に、ＢＰＦ３０２と、ＡＭＰ３０４と、から構成されている。
【００４０】
次に、無線送信部及び無線受信部の構成について図３を参照して説明する。図３は、無線送信部及び無線受信部の構成を示す回路図である。
【００４１】
図３に示すように、無線送信部２００は、同期クロックＳＣを逓倍するＰＬＬ（Phase-locked loop）２０２と、ＶＣＯ（Voltage Controlled Oscillator）２０３と、データ信号ＤＡＴＡを変調信号ＭＳに変換するベースバンド部（ＢＢ：baseband）２０４と、ＶＣＯ２０３の出力信号と変調信号ＭＳとを乗算する乗算器２０５と、乗算器２０５の出力信号をフィルタリングして無線信号ＷＳを生成するバンドパスフィルタ（ＢＰＦ：Band-pass filter）２０６と、から構成されている。
【００４２】
一方、無線受信部４００は、受信アンテナ４０１で受信した無線信号ＷＳをフィルタリングするＢＰＦ４０８とフィルタリングした信号を増幅するＬＮＡ（Low Noise Amplifier）４０７と、同期クロックＳＣを逓倍するＰＬＬ４０２と、ＶＣＯ４０３と、ＶＣＯ４０３の出力信号とＬＮＡ４０７の出力信号とを乗算する乗算器４０６と、乗算器４０６の出力信号をフィルタリングし復調信号ＤＳを出力するローパスフィルタ（ＬＰＦ：Low-pass filter）４０５と、復調信号ＤＳをデータ信号ＤＡＴＡに変換するベースバンド部４０４と、から構成されている。
【００４３】
以上に述べた本実施形態によれば、以下の効果が得られる。
【００４４】
本実施形態では、デジタル回路２０が放射するデジタル放射ノイズＲＮから同期クロックＳＣを抽出し、無線送信部２００及び無線受信部４００を動作させることができるので、基準クロックＣＫを発生する発振器１０を無線送信部２００と無線受信部４００の両方に搭載する必要がなく、回路規模の縮小及び消費電力を低減できる。
【００４５】
以上、無線通信装置の実施形態を説明したが、こうした実施の形態に何ら限定されるものではなく、趣旨を逸脱しない範囲内において様々な形態で実施し得ることができる。以下、変形例を挙げて説明する。
【００４６】
（変形例１）無線通信装置の変形例１について説明する。前記第１実施形態では、無線送信部及び無線受信部として図３に示すような構成で説明したが、図４に示すように、無線送信部２００にパルス信号ＰＳを発生するパルス発生器２０７を用い、無線受信部４００にテンプレートパルス発生器４０９を用いて構成してもよい。図４に示すようなパルス無線方式を用いることによりデジタル放射ノイズＲＮのレベルが大きい場合でも安定した通信を行うことができる。
【００４７】
（変形例２）無線通信装置の変形例２について説明する。発振器１０とデジタル回路２０との間の配線を図５（Ａ）に示すようなループ状や、図５（Ｂ）に示すようなミアンダ状にすることにより、デジタル放射ノイズＲＮを受信アンテナ１０１や３０１で検出しやすくなり、デジタル放射ノイズＲＮを受信するクロック抽出部１００，３００の回路構成を簡易にすることができ、消費電力を低減できる。
【００４８】
（変形例３）無線通信装置の変形例３について説明する。前記第１実施形態では、デジタル回路２０が放射するデジタル放射ノイズＲＮをアンテナ１０１，３０１で受信する方法を説明したが、図６に示すように、電源線ＶＤＤに重畳されたデジタル放射ノイズＲＮを取り込むようにしてもよい。図６は、無線送信部２００が電源線ＶＤＤからコイルＬ１，Ｌ２を介して電力を取り込み、無線受信部４００が電源線ＶＤＤからコイルＬ３，Ｌ４を介して電力を取り込む例を示す。この場合、クロック抽出部１００は、コイルＬ２の出力をハイパスフィルタ（ＨＰＦ：High Pass Filter）１１２でフィルタリングし、ＡＭＰ１０４で増幅し同期クロックＳＣを抽出する。クロック抽出部３００も同様に、ＨＰＦ３１２とＡＭＰ３０４とから構成される。図６のような構成にすることにより、アンテナ１０１，３０１が不要となり、回路規模を縮小できる。
【００４９】
（変形例４）無線通信装置の変形例４について説明する。図２において、ＢＰＦ１０２，３０２は、デジタル放射ノイズＲＮを放射するデジタル回路２０の基準クロックＣＫのｎ次（ｎは２以上の整数）高調波を抽出するように設定する。このように構成することにより、無線送信部２００及び無線受信部４００のＰＬＬ２０２，４０２の回路規模を縮小できる。
【００５０】
（変形例５）無線通信装置の変形例５について説明する。前記第１実施形態では、クロック抽出部１００，３００のＢＰＦ１０２，３０２は、中心周波数の値が固定であったが、予め中心周波数を決めることができない場合、図７に示すように、初期化時に高速フーリエ変換器（ＦＦＴ：Fast Fourier Transform）１０６などでデジタル放射ノイズＲＮのスペクトラムを調べ、可変ＢＰＦ１０８の中心周波数を決めるようにしてもよい。ＦＦＴ１０６は、無線送信部２００及び無線受信部４００の両方に搭載してもよいが、片側のみにＦＦＴ１０６を搭載して中心周波数を共有する手段を別途設けてもよい。
【００５１】
図７の例では、無線送信部２００にのみＦＦＴ１０６を搭載し、その結果を無線信号ＷＳを介して共有している。この場合、中心周波数の情報は、包絡線検波などの非同期検波部４１０を介して受信される。非同期検波部４１０は、同期検波部４１１に比べ通信性能が劣るため、通信速度を遅くするなど対策が必要であるが、中心周波数の情報の共有時にのみ使用するだけなので通信のオーバーヘッドにはならず、また通常通信時には切替素子ＳＷ２により停止してもよい。この構成によれば、デジタル放射ノイズＲＮを発生する回路に応じてＢＰＦ１０２，３０２の中心周波数を調整しなくてもよい。
【００５２】
（変形例６）無線通信装置の変形例６について説明する。前記変形例５では、ＦＦＴ１０６で中心周波数を求める場合を説明したが、図８に示すように制御部１０７により可変ＢＰＦ１０８の中心周波数を順次変えていき、希望の同期クロックＳＣのレベルが抽出されるポイントを探索するようにしてもよい。この構成によれば、デジタル放射ノイズＲＮを発生する回路に応じてＢＰＦ１０２，３０２の中心周波数を調整しなくてもよい。
【００５３】
（変形例７）無線通信装置の変形例７について説明する。図９に示すように、受信されたデジタル放射ノイズＲＮから同期クロックＳＣを抽出し、同期クロックＳＣと同期クロックＳＣの谷間に合わせて送受信を行うようにしてもよい。この構成によれば、デジタル放射ノイズＲＮの影響を受けずに無線通信を行うことができる。
【００５４】
（変形例８）無線通信装置の変形例８について説明する。図１０及び図１１に示すように、デジタル放射ノイズＲＮがバースト的に放射される場合において、デジタル放射ノイズＲＮが休止期間中にパルス信号ＰＳにより無線通信を行うようにしてもよい。この構成によれば、デジタル放射ノイズＲＮの影響を受けずに、かつ同期クロックＳＣを同期させて無線通信を行うことができる。
【００５５】
（変形例９）無線通信装置の変形例９について説明する。図１２及び図１３に示すように、デジタル放射ノイズＲＮから抽出した同期クロックＳＣのバーストパターンを０，１で暗号鍵記憶部２１４，４１４に記憶して無線通信を行う際の暗号鍵にしてもよい。この構成によれば、簡易な回路構成で暗号化をすることができ、無線通信の安全性を高めることができる。
【００５６】
（変形例１０）無線通信装置の変形例１０について説明する。図１４は、無線通信装置を使った電子機器の一例である折畳み式携帯電話１０００のブロック図である。第１筐体１１００に液晶コントローラＩＣ１１２０と、バス配線１１４０と、クロック抽出部及び無線送信部１１５０とデジタル放射ノイズ受信アンテナ１１１０と、無線送信アンテナ１１６０と、を含み、第２筐体１２００に液晶パネル１２１０と、液晶ドライバＩＣ１２２０と、バス配線１２４０と、有線基準クロック１２３０と、クロック抽出部及び無線受信部１２５０と、無線受信アンテナ１２６０と、を含み、ヒンジ１３００で結合されている。液晶パネル１２１０から放射されるデジタル放射ノイズＲＮを受信して同期クロックＳＣを抽出する。
【００５７】
例えば、折畳み式の携帯電話１０００を折畳んだ時にデジタル放射ノイズＲＮを受信して同期クロックＳＣを調整し、開いた時には同期通信のみを行うようにしてもよい。
【００５８】
（変形例１１）無線通信装置の変形例１１について説明する。図１５は、無線通信装置を使った印刷装置２０００のブロック図である。印刷装置２０００の本体部２１００には印字コントローラ２１１０と、アンテナ１０１と、クロック抽出部１００と無線送信部２００と送信アンテナ２０１と、を含み、印字ヘッド部２２００には印字ヘッド２２１０と、アンテナ３０１と、クロック抽出部３００と、無線受信部４００と、受信アンテナ４０１と、を含んでいる。印字ヘッド部２２００の駆動信号から放射されるデジタル放射ノイズＲＮを受信して同期クロックＳＣを抽出する。
【図面の簡単な説明】
【００５９】
【図１】第１実施形態に係る無線通信装置の構成を示す回路図。
【図２】クロック抽出部の構成を示す回路図。
【図３】無線送信部及び無線受信部の構成を示す回路図。
【図４】変形例１に係る無線通信装置の構成を示す回路図。
【図５】変形例２に係る無線通信装置の構成を示す回路図。
【図６】変形例３に係る無線通信装置の構成を示す回路図。
【図７】変形例５に係る無線通信装置の構成を示す回路図。
【図８】変形例６に係る無線通信装置の構成を示す回路図。
【図９】変形例７に係る無線通信装置の構成を示すタイミング図。
【図１０】変形例８に係る無線通信装置の構成を示すタイミング図。
【図１１】変形例８に係る無線通信装置の構成を示す回路図。
【図１２】変形例９に係る無線通信装置の構成を示すタイミング図。
【図１３】変形例９に係る無線通信装置の構成を示す回路図。
【図１４】変形例１０に係る電子機器の構成を示すブロック図。
【図１５】変形例１１に係る印刷装置の構成を示すブロック図。
【符号の説明】
【００６０】
１…無線通信装置、１０…発振器、２０…デジタル回路、１００，３００…クロック抽出部、１０１，３０１…アンテナ、１０２，３０２…ＢＰＦ、１０４…ＡＭＰ、１０６…ＦＦＴ、１０７…制御部、１０８…可変ＢＰＦ、１１２，３１２…ＨＰＦ、２００…無線送信部、２０１…送信アンテナ、２０２，４０２…ＰＬＬ、２０３…ＶＣＯ、２０５…乗算器、２０７…パルス発生器、２１４，４１４…暗号鍵記憶部、３００…クロック抽出部、３０１…アンテナ、３０４…ＡＭＰ、４００…無線受信部、４０１…受信アンテナ、４０２…ＰＬＬ、４０３…ＶＣＯ、４０４…ベースバンド部、４０６…乗算器、４０７…ＬＮＡ、４０８…ＢＰＦ、４０９…テンプレートパルス発生器、４１０…非同期検波部、４１１…同期検波部、１０００…折畳み式携帯電話、１１００…第１筐体、１１１０…デジタル放射ノイズ受信アンテナ、１１２０…液晶コントローラＩＣ、１１４０…バス配線、１１５０…無線送信部、１１６０…無線送信アンテナ、１２００…第２筐体、１２１０…液晶パネル、１２２０…液晶ドライバＩＣ、１２３０…有線基準クロック、１２４０…バス配線、１２５０…無線受信部、１２６０…無線受信アンテナ、１３００…ヒンジ、２０００…印刷装置、２１００…本体部、２１１０…印字コントローラ、２２００…印字ヘッド部、２２１０…印字ヘッド。
【図１】
2009118218.tif 000003
【図２】
2009118218.tif 000004
【図３】
2009118218.tif 000005
【図４】
2009118218.tif 000006
【図５】
2009118218.tif 000007
【図６】
2009118218.tif 000008
【図７】
2009118218.tif 000009
【図８】
2009118218.tif 000010
【図９】
2009118218.tif 000011
【図１０】
2009118218.tif 000012
【図１１】
2009118218.tif 000013
【図１２】
2009118218.tif 000014
【図１３】
2009118218.tif 000015
【図１４】
2009118218.tif 000016
【図１５】
2009118218.tif 000017